(57)【特許請求の範囲】
【請求項１】
取出口を下方に向けて詰替えパウチを保持する保持部材と、該パウチの取出口に取り付けられるポンプを具備し、該ポンプは入口開口と出口開口を有する収納空間を形成したポンプ本体と、上記取出口に連通し収納空間内にパウチから内容物を取り入れるよう上記入口開口を開閉する入口側バルブと、上記収納空間内の内容物を吐出するよう上記出口開口を開閉する出口側バルブと、上記出口側バルブに連通するよう下向きに形成されたノズルと、上記収納空間を加圧して上記ノズルから内容物を取り出すよう収縮、復元可能な軟質材料で構成されたポンプ壁体と、上記収納空間内に挿通され上方筒状部と下方筒状部を有する支持軸を具備し、上記入口側バルブは上記上方筒状部に設けられ、上記出口側バルブは下方筒状部に設けられていることを特徴とする詰替えパウチの内容物取出装置。
【請求項２】
上記入口側バルブは収納空間側にボールを有するボールバルブであり、上記出口側バルブは出口開口の弁座に係合する弁を有する弁軸と、上記弁を弁座に圧着する方向に上記弁軸を付勢するばねと、上記弁軸を移動させるようノズルの外方に形成されたつまみを有する請求項１に記載の詰替えパウチの内容物取出装置。
【請求項３】
上記取出口には挿入固着具が取り付けられ、該挿入固着具に上記ポンプ本体が接続されている請求項１または２に記載の詰替えパウチの内容物取出装置。
【請求項４】
上記挿入固着具は、上記取出口に挿入され外面に金属材料製の係止片を有する挿入筒と、上記取出口に挿入した該挿入筒の係止片にパウチ本体を圧着させるよう該挿入筒に圧着可能に設けられたクランプ片を有する請求項３に記載の詰替えパウチの内容物取出装置。
【請求項５】
上記クランプ片は翼板部と該翼板部に形成された凹部を有し、上記挿入筒は外周に筒状の密着部材を有し、該密着部材は上記クランプ片の翼板部により圧着されるよう側方に伸びる耳片を具備している請求項４に記載の詰替えパウチの内容物取出装置。
【請求項６】
上記保持部材はパウチの一部を挟持する挟持具である請求項１から５のいずれかに記載の詰替えパウチの内容物取出装置。
【請求項７】
上記保持部材はパウチを下向きに収納する収納ケースである請求項１から５のいずれかに記載の詰替えパウチの内容物取出装置。
【発明の詳細な説明】
【技術分野】
【０００１】
本発明は、詰替え用シャンプー液パック、リンス液パック、洗剤パック等の詰替えパウチからシャンプー液等の流動性のある内容物を簡単に取り出せるようにした詰替えパウチの内容物取出装置に関するものである。
【背景技術】
【０００２】
詰替え用シャンプー液パック等の詰替えパウチには、切り取り可能な取出口や、ねじキャップで塞がれた取出口が設けられている。通常は、この取出口を開いて、パック内の内容物をシャンプー容器等に移し替えて使用する。内容物をシャンプー容器等に移し替えないで、詰替えパックから直接内容物を取り出して使用できるようにした装置が提案されている（例えば、特許文献１参照）。一般にこの種の装置は、詰替えパック等のパウチを容器や支持部材内に起立状態で収納し、パウチの上部に形成された取出口からポンプの吸引パイプをパウチ内に差込み、ポンプの操作ボタンを上下動させてパウチ内から吸い出した内容物をポンプのノズルから押し出すよう構成されている。そのため、パウチ内のシャンプー液等を最後まで完全に取り出せないし、操作ボタンを押したときの押圧力が容器を置いた床や支持部材を取り付けた壁に伝達されるので、壁等にしっかり保持させなければならない。その上、容器が倒れたり、上記押圧力により壁から支持部材が外れたりすると、取出口から内容物がこぼれることがあったり、該取出口から空気や水がパック内に入って内容物を変質させたり、初期の洗剤の香りを持続できなくなるおそれもあった。また、パウチを吊り下げて内容物をパウチの底から取り出すようにした装置も提案されている（例えば特許文献２参照）が、この種の装置でもポンプのボタンを押すときの押圧力を壁面等で担持させ、パウチの底をカットしてポンプを取り付けているから、上述と同じような欠点がある。
【０００３】
さらに、一般に、容器内から内容物を取り出すためのポンプは、押圧操作でポンプの収納スペース内の内容物を加圧してノズルから取り出し、復元するときの吸引作用で入口側バルブを通して容器から内容物を収納スペース内に吸引するよう構成されている（例えば特許文献３参照）。そのような作用を生じさせるため、操作ボタンを押したとき入口側のバルブを閉じるとともに出口側のバルブを開け、操作ボタンが復帰するとき入口側のバルブを開くとともに出口側のバルブを閉じるように構成されている。このような連動動作は内容物が収納されたスペースを加圧したり減圧して行われるが、該スペースが小さく内容物を加圧する力が弱いので、内容物を取り出すとき、入口側のバルブが完全に閉じなかったり、閉じるまでの間に時間差があってその間に内容物が入口からパウチ内に戻ってしまい、充分に出口側から吐出させることができない場合があった。また、長期間使用していないと、シャンプー液等の内容物が出口側バルブ部分で固化し、開口部を塞いでしまうこともあった。
【０００４】
また、リザーバーの下方に、両端にバルブを有する軟質材料製の計量チャンバーを設け、該計量チャンバーを圧縮して液体をリザーバーから取り出す装置も知られている(例えば特許文献４参照)。しかし、この計量チャンバーには、計量チャンバーの上方部分と下方部分を連絡する部材は設けられていない。このような構造のため、特許文献４に記載のものでは、計量チャンバーを圧縮したときに、チャンバーがよじれて液体が予測できない方向に流出する(公報  １３頁１６〜２８行)。そのように屈曲自在なチャンバーを本発明が対象とするシャンプー液用詰替えパウチからの液体の取り出しに使用すると、液体の取り出し方向が一定せず、周囲にシャンプー液が飛散して非常に使いにくいものとなる。その上、そのような屈曲やよじれが生じると、チャンバーの上下方向の長さが短縮したり、形状が大きく変わるために、収納空間に作用する加圧力も上下方向で変化し、上方のバルブと下方のバルブに加圧力が均等に伝達されなくなる。そのため、上述したように、上下のバルブの開閉のタイミングにずれを生じるおそれがあり、例えば上方のバルブの閉鎖が遅れると、収納空間に入っている内容物がパウチ内に逆流してしまうことになる。
【先行技術文献】
【特許文献】
【０００５】
【特許文献１】特開２０００−１４２８５１号公報（図１）
【特許文献２】特開２００２−１０４５４６号公報（図３、図４）
【特許文献３】実公昭４７−３９２３３号公報（第１図）
【特許文献４】特表２００２−５１０２４７号公報(１３頁１６〜２８行、図１、図２)
【発明の概要】
【発明が解決しようとする課題】
【０００６】
本発明の解決課題は、上記のように詰替えシャンプー液パック等の詰替えパウチに特別のカットを設けることなく、パウチに形成されている通常の取出口を利用し、軟質材料で形成したポンプ本体により内容物を取り出しでき、内容物を変質させたり、こぼしたり、周囲に飛散させたりすることがなく、最後まで一定量づつ確実に取り出しできるようにした詰替えパウチの内容物取出装置を提供することである。
【課題を解決するための手段】
【０００７】
本発明によれば、取出口を下方に向けて詰替えパウチを保持する保持部材と、該パウチの取出口に取り付けられるポンプを具備し、該ポンプは入口開口と出口開口を有する収納空間を形成したポンプ本体と、上記取出口に連通し収納空間内にパウチから内容物を取り入れるよう上記入口開口を開閉する入口側バルブと、上記収納空間内の内容物を吐出するよう上記出口開口を開閉する出口側バルブと、上記出口側バルブに連通するよう下向きに形成されたノズルと、上記収納空間を加圧して上記ノズルから内容物を取り出すよう収縮、復元可能な軟質材料で構成されたポンプ壁体と、上記収納空間内に挿通され上方筒状部と下方筒状部を有する支持軸を具備し、上記入口側バルブは上記上方筒状部に設けられ、上記出口側バルブは下方筒状部に設けられていることを特徴とする詰替えパウチの内容物取出装置が提供され、上記課題が解決される。
【０００８】
本発明によれば、上記詰替えパウチの内容物取出装置はパウチの取出口に取り付けられる挿入固着具を有し、該挿入固着具には、上記取出口に挿入され外面に弾性のある密着部材と金属材料製の係止片を有する挿入筒と、該挿入筒を上記取出口に挿入したとき上記係止片にパウチ本体を圧着させると共に密着部材でパウチの開口部を閉塞するよう該挿入筒に圧着可能に設けたクランプ片が形成されている。また、上記パウチを保持する上記保持部材として、パウチの一部を直接挟持する挟持具や収納ケースに入れてパウチを吊り下げるようにした保持部材が提供される。
【発明の効果】
【０００９】
本発明は、上記のように構成され、取出口を下方に向けてパウチを保持する保持部材と、該パウチの取出口に取り付けられるポンプを具備し、ポンプ本体の壁体を収縮、復元可能な軟質材料で構成して収納空間を加圧できるようにしたから、該ポンプ本体を握ったり両側からつまむことにより上記ノズルから内容物を取り出すことができる。したがって、パウチの底をカットしたりせずに従来のパウチに普通に設けられている取出口をそのまま利用でき、内容物をこぼしたり、変質させたり、香料を逸散させることおそれがなく、パウチ内の内容物を完全に取り出すことが可能である。また、操作時の荷重が保持部材に直接作用することもないので、パウチが落下するおそれもない。
【００１０】
さらに、上記収納空間内に支持軸を挿通し、該支持軸の上方筒状部に上記入口側バルブを設け、下方筒状部に上記出口側バルブを設けたので、軟質材料製のポンプ壁体は支持軸により上下方向が補強され、圧縮(握持)した際に上下方向に短縮したり、ねじれたり、屈曲したりしない。したがって、ポンプ本体を握ると、ポンプ本体が屈曲することなく入口側バルブが閉鎖されるとともに出口側バルブが開口し、出口側バルブに通じるノズルから下方向に向けて内容物を取り出すことができる。ポンプ本体の握持を止めるとポンプ壁体の復元力で入口側バルブが開くとともに出口側バルブが閉鎖されるから、パウチ内の内容物を収納空間側へ流動させることができ、確実に内容物の流動を制御することができる。また、出口側バルブの弁座に密着する弁の弁軸につまみを設けておくと、出口側バルブ内にシャンプー液等の内容物が固化してバルブが閉塞されてしまっても、つまみを引張ることによりバルブを強制的に開口させて内容物を取り出すことができる。
【００１１】
上記したように、パウチに設けられている通常の取出口としては、キャップをねじ着した取出口や、切り取り可能な切断線を有する突起状取出口が従来から知られている。キャップの場合には同じようなねじ部を有するジョイントキャップを上記ポンプ本体に設けてポンプを接続すればよい。突起状取出口の場合には切り取った取出口に挿入固定具を差し込み、ねじ部を有するスクリューキャップを該挿入固定具にねじ着してポンプを接続すれば、内容物がもれるおそれがない。この挿入固定具の挿入筒に弾性を有する密着部材と金属材料製の係止片を設けクランプ片でパウチ本体を圧着すれば、比較的重量の有るシャンプー液パック等のパウチでも落下しないように確実に保持でき、かつ漏れを強固に防止することができる。
【図面の簡単な説明】
【００１２】
【図１】本発明のパウチの保持部材の一実施例を示し、挟持具でパウチを保持して吊るすようにした斜視図。
【図２】収納ケースに入れてパウチを吊るすようにした斜視図。
【図３】挟持具の断面図。
【図４】ローラー群に沿った方向の断面図。
【図５】収納ケースの斜視図。
【図６】ポンプの参考例を示す断面図。
【図７】図６に示すポンプのポンプ本体を側方からみた断面図。
【図８】他の参考例を示す一部の斜視図。
【図９】クランプ片を圧着している状態の挿入固着具を半断面した説明図。
【図１０】クランプ片を解放している状態の挿入固着具を半断面した説明図。
【図１１】挿入筒を示し、Ａは平面図、Ｂは側面図、Ｃは半断面した正面図。
【図１２】係止片を示し、Ａは平面図、Ｂ断面図。
【図１３】クランプ片を示し、Ａは平面図、Ｂは正面図、Ｃは側面図。
【図１４】レバーを示し、Ａは平面図、Ｂは半断面した正面図、Ｃは側面図。
【図１５】挿入筒部分の実施例を示す断面図。
【図１６】密着部材の斜視図。
【図１７】クランプ片で圧着した状態の説明図。
【図１８】ポンプの他の参考例を示す断面図。
【図１９】図１８に示すポンプの側面からみた断面図。
【図２０】本発明のポンプの一実施例を示す断面図。
【図２１】図２０に示すポンプの一部の分解斜視図。
【発明を実施するための形態】
【００１３】
図１、図２は、本発明のパウチ保持部材の一実施例を示し、取出口２を下方に向けて詰替えパウチ１を保持する保持部材３を有し、該パウチ１の取出口２にはポンプ４が取り付けられている。なお、この実施例では、取出口にねじキャップ（図示略）をねじ着した形式の詰替えパウチが示され、上記ポンプは、キャップを外してこの取出口２に取り付けられている。図１に示す実施例では上記保持部材３として、壁に吸盤等で固定されたフック５に掛け止めるようにした挟持具６が示され、パウチの底、図において上部を挟持して該パウチを下向きに吊り下げている。図２に示す実施例ではパウチを収納して下向きに吊り下げるようにした収納ケース７が示されている。上記挟持具６としては、適宜のものを使用することができる。詰替え用シャンプー液パックのようなパウチは表面が滑り易く、かつ重さも比較的あるので、挟持力の大きい挟持具が好ましい。なお、上記フックに代えて、棒状のハンガー（図示略）を設け、該ハンガーに保持部材を吊り下げるようにしてもよい。
【００１４】
図３、図４は本発明に好適に使用される挟持具を示している。挟持具６の挟持具本体８は上方にフック５に掛け止めるための掛止孔９を有している。なお、上記のように図示を省略した棒状のハンガーに吊り下げる場合は、フック状の吊下片（図示略）を挟持具本体に形成してもよい。該挟持具本体８の内面には対向状態に傾斜面１０が形成され、下面及び側面に開口する差込口１１が設けられている。該差込口１１に臨み上記傾斜面に転接可能なローラーが軸方向に複数、図においては２個のローラー１２a、１２bを並べたローラー群１３、１４を対向状態に向かい合わせた状態で挟持具本体内に収納されている。上記ローラーはローラー群間にパウチ１を差し込んだときパウチに押されて傾斜面１０に沿って差込口１１の内方（図３において上方）に移動する。ローラーの表面にはパウチ１を摩擦的に挟持できるよう係止面が形成されている。この係止面として、図に示す実施ではローラーの周面方向に延びる複数の突起１５と溝１６が形成され、該突起１５が対向するローラーの溝１６に入り込むような位置関係に上記ローラー群１３、１４を組み合わせてある。そのため、差込口１１からローラー群１３、１４間に差し込んだパウチ１を左右に動揺させても上記ローラー群を構成する複数のローラーがパウチを挟持したまま個々に動いて挟持作用を分散して負担するから、該挟持作用が消失することはない。したがって、詰替え用シャンプー液パック等のパウチのように重くて表面が滑り易いものでも確実に保持することができる。また受片１７を上記ローラー群１３、１４の上面にそれぞれあてがい、該受片１７を押圧するばね１８により上記ローラー群１３、１４を差込口１１の入口方向（図３において下方）に付勢し、このローラー群のいずれか一方を内方（図３において上方）に移動させるようスライドスイッチ１９を昇降可能に設けてある。該スライドスイッチ１９を操作して上記ローラー群の一方を移動させれば、上記挟持作用は消失するから、空になったパウチの取り出しも容易である。
【００１５】
上記収納ケース７は図５に示すように、掛止孔２０を有する板状のケース基板２１の前面上部及び前面下部に起立板２２を介して前面板２３を設け、ケース基板２１と前面板２３間の空所にパウチ１を収納し、該前面板間からパウチの取出口２が下方に向けて突出するようにしてある。なお、該ケース基板２１の周囲には裏面方向に屈曲する縁片２４が形成され、かつ適宜箇所には該収納ケース７をフック５に掛け止めた際、ケース基板２１が動揺しないよう裏面方向に突出する突片２５を形成して壁面に接触できるようにしてある。
【００１６】
図６、図７はポンプの参考例を示し、該ポンプ４は、略筒状のポンプ本体２６を有し、該ポンプ本体内に入口開口２７と出口開口２８を有する収納空間２９が形成されている。図７に示すように、該収納空間２９は断面円形であるが、ポンプ本体２６の外周は断面略楕円形に形成されている。該入口開口２７の周囲には入口筒３０が形成され、上記パウチの取出口に形成されたねじ部にねじ係合するジョイントキャップ３１が該入口筒３０の周囲に取り付けられている。該入口筒３０にはパウチ１からシャンプー液等の内容物を取り入れるよう該入口開口２７に通じる流路を開閉する入口側バルブ３２が設けられている。該入口側バルブ３２はボールバルブで構成され、ばね３３で上記収納空間２９方向に付勢された弁座３４と、収納空間側に位置し該弁座３４に接離可能に設けられたボール３５を具備する。該弁座３４が段部３６に当たってとまっているとき、ボール３５と弁座３４間には隙間があって入口開口２７に通じる流路は開いている。収納空間が加圧されてボール３５が上昇すると該ボール３５は弁座３４に密着して入口開口２７に通じる流路は閉鎖される。
【００１７】
上記出口開口２８はポンプ本体２６のほぼ中間部に形成され、該出口開口には、該収納空間からの内容物を吐出するよう該出口開口２８を開閉する出口側バルブ３７があり、かつ該出口側バルブ３７に連通するよう下向きのノズル３８が形成されている。該出口側バルブ３７はボールバルブで構成され、収納空間２９の外側から出口開口２８に向けてばね３９で付勢されたボール４０を有する。
【００１８】
上記ポンプ本体の両端には、上記収納空間２９を加圧し上記出口側バルブ３７を通して内容物を取り出すよう近接、離反可能にポンプ本体の軸方向に移動するスピンドル４１、４２が対向状態に設けられている。該スピンドル間には該スピンドル４１、４２を離反させる方向に付勢するばね４３が設けられている。２つのばねをポンプ本体の外方に設けて各スピンドルを個別に付勢するようにしてもよい（図示略）。また、各スピンドルの端部にはポンプ本体２６の外周に嵌着するキャップ４４が取り付けられている。一方のスピンドル４１はブッシュ４５に挿通され、その内方先端で上記入口側バルブ３２のボール３５を支持している。該スピンドル４１の先部には傾斜面４６が設けられ、上記スピンドルが近接する方向に移動するとき、ボール３５を入口開口の弁座３４に密着させて該入口開口２７を閉じるよう該傾斜面４６でボール３５を押圧できるようにしてある。なお、弁座３４やスピンドル４１、４２の適所にはＯリング等のシール部材が設けられている。
【００１９】
上記構成により図６、図７に示すポンプによれば、両端のキャップ４４に手を当ててスピンドル４１、４２を内方に押し込むと、入口側バルブ３２のボール３５は直接的に弁座３４に押し付けられ入口開口２７に通じる流路は直ちにかつ確実に閉鎖される。さらに、スピンドルを移動すると、収納空間２９内の内容物が出口開口２８を通ってノズル３８から取り出される。スピンドル４１、４２の押圧を止めるとスピンドルが外方に移動して元の位置に復帰するときの吸引作用（真空作用）で入口開口２７が開き、出口開口２８が閉じるから内容物を収納空間２９内に取り入れることができる。そのようにして、パウチ内のシャンプー液等の内容物を最後まで取り出すことができる。上記スピンドル４１、４２を操作するときの押圧力はポンプ本体２６の軸方向に作用するだけで、上記保持部材３や該保持部材３を取り付けている壁に作用しないので、パウチが脱落するおそれもない。
【００２０】
図８は、切り取り可能な取出口４８を有するパウチ４７の場合の実施例を示している。切り取りにより形成された取出口４８には、挿入固着具４９が取り付けられ、該挿入固着具４９にポンプ５０を接続してある。図９、図１０を参照し、該固着具４９は、挿入筒５１と、該挿入筒５１の外周に対向状態に突設した支柱５２に回動可能に枢着５３aしたクランプ片５３と、該クランプ片５３を操作するよう該クランプ片５３に枢着５４aしたレバー５４を有している。上記挿入筒５１は取出口４８に容易に差し込めるよう先端５５を斜めに形成し、流路５６の後端の径大部５７には円錐状開口５８があり、後記するようにボールバルブのボールが収納される。該径大部の外面にねじ５９が形成され（図１１）、上記先端側の外面には金属材料で鋸刃状の係止突起６０を形成した係止片６１（図１２）が設けられている。図１３を参照し、上記クランプ片５３には、翼板部６２と該翼板部６２のほぼ中央に上記挿入筒５１の外面に嵌合するよう凹部６３が形成され、内面にはゴム材料等の弾性部材６４が設けられている。上記レバー５４の後端には、挿入筒５１に沿って倒した際、該挿入筒の周面に当たるカム部６５が形成され、先端には上記クランプ片５３の掛止部６６に係止される爪片６７が形成されている（図１４）。
【００２１】
上記レバー５４を起こした状態（図１０）でパウチ４７の一部を切り取って開口させた取出口４８内に上記挿入筒５１を挿入し、該挿入筒５１を充分パウチ本体内に差し込む。その後、上記レバー５４を倒せば上記カム部６５の作用で上記クランプ片５３の先端は挿入筒５１の外面に押し付けられ（図９）、該クランプ片５３の翼板部６２でパウチを圧着するとともに係止片６１及び弾性部材６４で滑り止めされる。それにより、該挿入固着具４９はパウチ４７の取出口４８を密閉すると共にパウチに確実に取り付けられ、内容物が取出口から漏れるおそれはない。
【００２２】
なお、パウチの素材によっては、上記クランプ片でパウチの取出口を挟着したときパウチを構成するシートが上記挿入筒の外面に沿って丸く屈曲せずにシートの合着部分の内面間にわずかな隙間を生じて内容物が漏れるおそれがある。このような場合には図１５に示すように上記挿入固着具４９の挿入筒５１の外周に弾性材料で筒状に形成した密着部材８１を設ければよい。該密着部材８１は、図１６に示すように、両側に断面略三角形状の耳片８２を有し、かつ挿入筒５１に形成した位置決め用の突起８３に係合する嵌合孔８４を具備している。これにより、図１７に示すように、パウチの取出口に挿入した挿入筒５１の外面をクランプ片５３で挟着した際、クランプ片の凹部６３でパウチの大部分が挟着され、挿入筒に沿ったパウチのシート間には側方に突出する耳片８２が入り込む。そして、耳片の外面をクランプ片５３の翼板部６２で圧着するから、パウチのシート間の隙間が塞がれ、内容物の漏れが防止される。
【００２３】
図１８、図１９は上記挿入固着具４９に接続される上記ポンプ５０の参考例を示している。ポンプ本体の壁体６８は収縮、復元可能なシリコンゴム等の軟質材料で構成され、ポンプ本体には入口開口６９と出口開口７０を有する略球状の収納空間７１が形成されている。なお、壁体の軟質材料として透明性のある材料を用いれば、収納空間７１内を透視することができる。該入口開口６９と出口開口７０は、金属材料や硬質プラスチック材料で形成した中リング７２、７３で構成され、入口開口６９の中リング７２の外周には上記挿入固着具４９のねじ５９にねじ係合するスクリューキャップ７４が設けられている。また、上記入口開口６９には、収納空間７１内にパウチ４７から内容物を取り入れるよう入口側バルブ７５を設けてある。図１９に示す実施例ではボールバルブが用いられ、上記挿入固定具４９の径大部５７の内方にボール７６を入れ、該ボール７６が図１９において上方に移動したとき上記挿入筒５１の円錐状開口５８に密着して該円錐状開口５８及び流路５６を閉鎖できる。ボール７６が下方に移動したとき上記円錐状開口５８及び流路５６が開き、パウチ４７内の内容物は入口開口６９から収納空間７１に入り込む。
【００２４】
上記出口開口７０には、入口開口６９から収納空間７１内に入った内容物を吐出するよう該出口開口７０を開閉する出口側バルブ７７が設けられている。上記ポンプ本体の中間部に位置して該出口側バルブ７７連通するよう下向きのノズル７８が形成されている。該出口側バルブ７７としてはボールバルブが用いられ、該出口開口７０に向けてボール７９をばね８０で付勢してある。
【００２５】
上記の構成により、上記ポンプ本体６８を圧縮（握持）すると、収納空間７１が加圧され、上記入口側バルブ７５のボール７６が上昇して上記挿入固着具４９の流路５６を塞ぎ、収納空間７１に入っている内容物は出口側バルブ７７のボール７９を押しのけてノズル７８から流出する。ポンプ本体６８の圧縮（握持）を止めると、該ポンプ本体６８は元の状態に膨らみ、上記出口側バルブ７７のボール７９はばね８０で押されて出口開口７０を塞ぎ、上記入口側バルブ７５のボール７６は降下し、流路５６を開くから、入口開口６９を通してパウチ４７内の内容物が収納空間７１に吸引される。このようにして、パウチ内のシャンプー液等の内容物を最後まで取り出すことができる。上記ポンプ本体を圧縮（握持）するときの押圧力は該ポンプ本体に作用するだけで、上記保持部材や該保持部材を取り付けている壁に作用しないので、パウチが脱落するおそれもない。なお、上記各実施例において、バルブとしてボールバルブを用いているが、その他適宜のバルブを用いることもできる。
【００２６】
図２０、図２１は、本発明のポンプの一実施例を示し、出口側バルブとして弁軸に形成された弁を用いたポンプ８５が示されている。図２０において、ポンプ本体８６の壁体８７は、上記図１８、図１９に示すポンプと同様に収縮、復元可能なシリコンゴム等の軟質材料で構成され、入口開口８８と出口開口８９を有する収納空間９０が形成されている。上記収納空間内には支持軸９１が挿通されている。支持軸９１は上方筒状部９２と下方筒状部９３を有し、該上方及び下方筒状部には数箇所の通孔９４が形成されている。上方筒状部９２には入口側バルブ９５のボールバルブを構成するボール９６が収納され、該ボール９６が入口開口８８の弁座９７に対向している。該弁座９７を形成するプレート９８は、スクリューキャップ９９をポンプ本体８６に嵌め合わせた後、上記上方筒状部９２の上端に超音波溶接により固定される。
【００２７】
上記下方筒状部９３はポンプ本体８６の下方に突出し、その先端にノズル１００が超音波溶接により固定される。該ノズル１００内には、出口側バルブ１０１を形成する弁軸１０２が収納されている。該弁軸１０２は出口開口を挿通して下方に延び、出口開口８９に形成した弁座１０３に対向する弁１０４を有し、該弁１０４が上記弁座１０３に圧着する方向にばね１０５で付勢されている。該弁１０４には、図２０に示すように、Ｏリングを設けてある。上記ノズル１００から突出する弁軸１０２の先端には、該弁軸を、図２０において、下方に移動させることができるようつまみ１０６が形成されている。
【００２８】
上記の構成により、図２０に示すポンプ８５は、取出口に形成されているねじや上記のような挿入固定具のねじにスクリューキャップ９９をねじ着することによりパウチに接続される。そして、上記ポンプ本体８６を握って収縮させれば、加圧作用により入口側バルブ９５は閉じられ、出口側バルブ１０１の弁１０４はばね１０５に抗して下方に移動するから、収納空間９０に入り込んでいる内容物をノズル１００から取り出すことができる。
ポンプ本体の収縮を止めれば、ポンプ本体は元の状態に膨らむ。そして、このときの真空吸引作用により入口側バルブ９５が開き、パウチから内容物が入口側バルブ９５を通って上記収納空間９０内に入り込み、弁軸１０２はばね１０５に押されて上昇し、弁１０４が弁座１０３に係合して出口開口８９は閉鎖される。長期間の不使用により上記出口開口部分で内容物が固化すると、出口開口が固化物で閉塞され、該弁の移動が不確実になり、内容物を取り出せないおそれがある。そのような事態が生じたら、ノズル１００の外方に形成した上記つまみ１０６を引張れば、該弁軸１０２を移動させて固化物を出口開口から排除できるから、その後は、上述のようにポンプ本体を収縮させて内容物を取り出せばよい。
【符号の説明】
【００２９】
１、４７  パウチ
２、４８  取出口
４、５０、８５  ポンプ
６        挟持具
７        収納ケース
４９      挿入固着具
【図１】
0005486669.tif 000002
【図２】
0005486669.tif 000003
【図３】
0005486669.tif 000004
【図４】
0005486669.tif 000005
【図５】
0005486669.tif 000006
【図６】
0005486669.tif 000007
【図７】
0005486669.tif 000008
【図８】
0005486669.tif 000009
【図９】
0005486669.tif 000010
【図１０】
0005486669.tif 000011
【図１１】
0005486669.tif 000012
【図１２】
0005486669.tif 000013
【図１３】
0005486669.tif 000014
【図１４】
0005486669.tif 000015
【図１５】
0005486669.tif 000016
【図１６】
0005486669.tif 000017
【図１７】
0005486669.tif 000018
【図１８】
0005486669.tif 000019
【図１９】
0005486669.tif 000020
【図２０】
0005486669.tif 000021
【図２１】
0005486669.tif 000022